(57)【要約】本願の方法及び装置により、フェムト無線基地局（２８f）は、フェムト無線基地局のアクティブ無線ネットワーク制御局ノードとして使用する無線アクセスネットワーク（２４）の適切な無線ネットワーク制御局ノード（２６）との接続が可能になる。その接続は、フェムト無線基地局（２８f）の常駐受信器（５４）から取得した無線アクセスネットワークのシステム情報（例えば、位置表示情報）を使用することにより達成される。フェムト無線基地局（２８f）は、システム情報の少なくとも一部を使用して完全修飾ドメイン名（ＦＱＤＮ）を作成し、次いでそのＦＱＤＮを使用してドメインネームシステム（ＤＮＳ）データベース（４２）へ問合せ、フェムト無線基地局（２８f）との接続のために適切な無線ネットワーク制御局ノードのインターネットプロトコル（ＩＰ）アドレスを取得し、適切な無線ネットワーク制御局ノード（２６2）に接続し、そのアクティブ無線ネットワーク制御局ノードとして使用する。
2009510971.tif 000002
【特許請求の範囲】
【請求項１】
無線アクセスネットワーク（２４）を動作させる方法であって、
フェムト無線基地局（２８f）において、前記フェムト無線基地局（２８f）への接続のために適切な無線ネットワーク制御局のインターネットプロトコル（ＩＰ）アドレスを取得するためのノードアドレス問合せを準備する工程と、
前記フェムト無線基地局（２８f）に対するアクティブ無線ネットワーク制御局ノードとして、前記フェムト無線基地局（２８f）を前記適切な無線ネットワーク制御局ノード（２６2）に接続するために前記インターネットプロトコル（ＩＰ）アドレスを使用する工程とを有することを特徴とする方法。
【請求項２】
前記フェムト無線基地局（２８f）の識別子を前記ノードアドレス問合せに含める工程をさらに有することを特徴とする請求項１に記載の方法。
【請求項３】
前記フェムト無線基地局（２８f）の識別子は、前記フェムト無線基地局（２８f）のハードウェア識別子と、前記フェムト無線基地局（２８f）のシリアル番号と、前記フェムト無線基地局（２８f）の所有者／運用者の番号との内の少なくとも１つを含むことを特徴とする請求項２に記載の方法。
【請求項４】
前記システム情報は、（１）ＰＬＭＮ−ＩＤと、（２）ロケーションエリアコード（ＬＡＣ）と、（３）セルアイデンティティ（ＣＩ）との内の少なくとも１つを含むことを特徴とする請求項１に記載の方法。
【請求項５】
完全修飾ドメイン名（ＦＱＤＮ）は、（１）ＰＬＭＮ−ＩＤと、（２）ロケーションエリアコード（ＬＡＣ）と、（３）セルアイデンティティ（ＣＩ）との内の２つ以上の部分の組み合わせを含むことを特徴とする請求項４に記載の方法。
【請求項６】
完全修飾ドメイン名（ＦＱＤＮ）は、（１）ＰＬＭＮ−ＩＤと、（２）ロケーションエリアコード（ＬＡＣ）と、（３）セルアイデンティティ（ＣＩ）との内の２つ以上の部分の連結を含むことを特徴とする請求項４に記載の方法。
【請求項７】
完全修飾ドメイン名（ＦＱＤＮ）を構築するために前記システム情報の少なくとも一部を使用する工程と、
前記フェムト無線基地局への接続のために適切な無線ネットワーク制御局のインターネットプロトコル（ＩＰ）アドレスを取得するためドメインネームシステム（ＤＮＳ）データベースに問い合わせるために前記完全修飾ドメイン名（ＦＱＤＮ）を使用する工程とをさらに有することを特徴とする請求項４に記載の方法。
【請求項８】
前記完全修飾ドメイン名（ＦＱＤＮ）を構築するために前記システム情報と事前構成情報との少なくとも一部を用いる工程をさらに有することを特徴とする請求項７に記載の方法。
【請求項９】
前記フェムト無線基地局が前記適切な無線ネットワーク制御局ノードの前記インターネットプロトコル（ＩＰ）アドレスを取得するために前記ドメインネームシステム（ＤＮＳ）データベースに対して直接、前記完全修飾ドメイン名（ＦＱＤＮ）を含む問合せを送信する工程をさらに有することを特徴とする請求項７に記載の方法。
【請求項１０】
前記フェムト無線基地局が前記システム情報の少なくとも一部を使用してノードアドレス要求メッセージを準備する工程と、
前記フェムト無線基地局が前記ノードアドレス要求メッセージを無線ネットワーク制御局ノード（２６1）に送信する工程と、
前記無線ネットワーク制御局ノード（２６1）が前記適切な無線ネットワーク制御局ノードのインターネットプロトコル（ＩＰ）アドレスを取得するために前記データベースに前記システム情報の少なくとも一部を転送する工程とをさらに有することを特徴とする請求項４に記載の方法。
【請求項１１】
前記フェムト無線基地局が前記システム情報の少なくとも一部を使用してノードアドレス要求メッセージを準備する工程と、
前記フェムト無線基地局が前記ノードアドレス要求メッセージを汎用リダイレクタノード（１００）に送信する工程と、
前記汎用リダイレクタノード（１００）が前記適切な無線ネットワーク制御局ノードのインターネットプロトコル（ＩＰ）アドレスを取得するために前記データベースに前記システム情報の少なくとも一部を転送する工程とをさらに有することを特徴とする請求項４に記載の方法。
【請求項１２】
前記フェムト無線基地局（２８f）への接続のために適切な無線ネットワーク制御局（２６1）のインターネットプロトコル（ＩＰ）アドレスを前記データベースから取得するために、前記システム情報の少なくとも一部と前記フェムト無線基地局（２８f）の識別子とを用いる工程をさらに有することを特徴とする請求項４に記載の方法。
【請求項１３】
前記フェムト無線基地局（２８f）の識別子は、前記フェムト無線基地局のハードウェア識別子と、前記フェムト無線基地局のシリアル番号と、前記フェムト無線基地局の所有者／運用者の番号との内の少なくとも１つを含むことを特徴とする請求項１２に記載の方法。
【請求項１４】
フェムト無線基地局（２８f）であって、
エアインタフェース（３２）により無線アクセスネットワーク（２４）で同報されるシステム情報を受信する常駐無線受信器（５４）と、
前記フェムト無線基地局（２８f）に対する適切な無線ネットワーク制御局ノード（２６2）のインターネットプロトコル（ＩＰ）アドレスをデータベースから取得するために前記システム情報の少なくとも一部を用いる手段とを有することを特徴とするフェムト無線基地局。
【請求項１５】
前記システム情報の少なくとも一部を用いる手段は、完全修飾ドメイン名（ＦＱＤＮ）を構築するために前記システム情報の少なくとも一部を使用し、さらに前記完全修飾ドメイン名（ＦＱＤＮ）を使用して前記適切な無線ネットワーク制御局ノード（２６2）のインターネットプロトコル（ＩＰ）アドレスを取得するためにドメインネームシステム（ＤＮＳ）データベースに問合せることを特徴とする請求項１４に記載のフェムト無線基地局。
【請求項１６】
前記完全修飾ドメイン名（ＦＱＤＮ）を構築する手段は、前記完全修飾ドメイン名（ＦＱＤＮ）を構築するために前記システム情報と事前構成情報との内の少なくとも一部を使用することを特徴とする請求項１４に記載のフェムト無線基地局。
【請求項１７】
前記システム情報の少なくとも一部を用いる手段は、前記ドメインネームシステム（ＤＮＳ）データベースに対して直接、前記完全修飾ドメイン名（ＦＱＤＮ）を含む問合せを送信し、前記適切な無線ネットワーク制御局ノードのインターネットプロトコル（ＩＰ）アドレスの形式で前記前記ドメインネームシステム（ＤＮＳ）データベースから直接、応答を受信するように構成されたインターネットプロトコル（ＩＰ）インタフェースを有することを特徴とする請求項１４に記載のフェムト無線基地局。
【請求項１８】
前記システム情報の少なくとも一部を用いる手段は、無線ネットワーク制御局ノード（２６1）に対して、前記システム情報を含むノードアドレス要求メッセージを送信し、前記無線ネットワーク制御局ノード（２６1）から前記適切な無線ネットワーク制御局ノード（２６2）のインターネットプロトコル（ＩＰ）アドレスを受信するように構成されたインターネットプロトコル（ＩＰ）インタフェースを有することを特徴とする請求項１４に記載のフェムト無線基地局。
【請求項１９】
前記システム情報の少なくとも一部を用いる手段は、汎用リダイレクタノード（１００）に対して、前記システム情報を含むノードアドレス要求メッセージを送信し、前記汎用リダイレクタノードから前記適切な無線ネットワーク制御局ノード（２６2）のインターネットプロトコル（ＩＰ）アドレスを受信するように構成されたインターネットプロトコル（ＩＰ）インタフェースを有することを特徴とする請求項１４に記載のフェムト無線基地局。
【請求項２０】
前記システム情報の少なくとも一部を用いる手段は、前記システム情報の少なくとも一部と前記フェムト無線基地局の識別子とを用いて、前記適切な無線ネットワーク制御局ノードのインターネットプロトコル（ＩＰ）アドレスを前記データベースから引き出すように構成されたノードアドレス要求メッセージを準備することを特徴とする請求項１４に記載のフェムト無線基地局。
【請求項２１】
前記システム情報の少なくとも一部を用いる手段は、前記フェムト無線基地局の前記識別子として、前記フェムト無線基地局のハードウェア識別子と、前記フェムト無線基地局のシリアル番号と、前記フェムト無線基地局の所有者／運用者の番号との内の少なくとも１つを含むように構成されていることを特徴とする請求項２０に記載のフェムト無線基地局。
【請求項２２】
複数の無線ネットワーク制御局ノード（２６）と、少なくとも１つのフェムト無線基地局（２８f）とを有する無線アクセスネットワークであって、
データベース（４２）を有し、
前記少なくとも１つの１つのフェムト無線基地局（２８f）は、
エアインタフェース（３２）により前記無線アクセスネットワーク（２４）で同報されるシステム情報を受信する常駐無線受信器（５４）と、
前記システム情報を含むノードアドレス問合せを構築するために前記システム情報の少なくとも一部を用いる手段と、
前記データベースに前記ノードアドレス問合せを送信し、前記ノードアドレス問合せに対する応答として前記複数の無線ネットワーク制御局ノードの内の適切な無線ネットワーク制御局ノードのインターネットプロトコル（ＩＰ）アドレスを受信し、前記適切な無線ネットワーク制御局ノードの前記アドレスを使用して前記少なくとも１つのフェムト無線基地局のアクティブ無線ネットワーク制御局ノードとして、前記適切な無線ネットワーク制御局ノードに前記フェムト無線基地局を接続する手段（５０）とを有することを特徴とする無線アクセスネットワーク。
【請求項２３】
前記システム情報の少なくとも一部を用いる手段は、完全修飾ドメイン名（ＦＱＤＮ）の形式でノードアドレス問合せを構築するために前記システム情報の少なくとも一部を使用し、さらに前記完全修飾ドメイン名（ＦＱＤＮ）を使用して前記適切な無線ネットワーク制御局ノードの前記インターネットプロトコル（ＩＰ）アドレスを取得するためにドメインネームシステム（ＤＮＳ）データベースに問合せを行うことを特徴とする請求項２２に記載の無線アクセスネットワーク。
【請求項２４】
前記完全修飾ドメイン名（ＦＱＤＮ）を構築する手段は、前記完全修飾ドメイン名（ＦＱＤＮ）を構築するために前記システム情報と事前構成情報との内の少なくとも一部を使用することを特徴とする請求項２２に記載の無線アクセスネットワーク。
【請求項２５】
前記ドメインネームシステム（ＤＮＳ）データベースに対して直接、前記完全修飾ドメイン名（ＦＱＤＮ）を含む問合せを送信し、前記適切な無線ネットワーク制御局ノードのインターネットプロトコル（ＩＰ）アドレスの形式で前記前記ドメインネームシステム（ＤＮＳ）データベースから直接、応答を受信するように構成されたインターネットプロトコル（ＩＰ）インタフェースをさらに有することを特徴とする請求項２２に記載の無線アクセスネットワーク。
【請求項２６】
前記システム情報の少なくとも一部を用いる手段は、無線ネットワーク制御局ノードに対して、前記システム情報を含むノードアドレス要求メッセージの形式でノードアクセス問合せを送信し、前記無線ネットワーク制御局ノードから前記適切な無線ネットワーク制御局ノードのインターネットプロトコル（ＩＰ）アドレスを受信するように構成されたインターネットプロトコル（ＩＰ）インタフェースを有することを特徴とする請求項２２に記載の無線アクセスネットワーク。
【請求項２７】
前記システム情報の少なくとも一部を用いる手段は、汎用リダイレクタノードに対して、前記システム情報を含むノードアドレス要求メッセージの形式でノードアドレス問合せを送信し、前記汎用リダイレクタノードから前記適切な無線ネットワーク制御局ノードのインターネットプロトコル（ＩＰ）アドレスを受信するように構成されたインターネットプロトコル（ＩＰ）インタフェースを有することを特徴とする請求項２２に記載の無線アクセスネットワーク。
【請求項２８】
前記システム情報の少なくとも一部を用いる手段は、前記システム情報の少なくとも一部と前記フェムト無線基地局の識別子とを用いて、前記適切な無線ネットワーク制御局ノードのインターネットプロトコル（ＩＰ）アドレスを前記データベースから引き出すように構成されたノードアドレス要求メッセージを準備することを特徴とする請求項２２に記載の無線アクセスネットワーク。
【請求項２９】
前記システム情報の少なくとも一部を用いる手段は、前記フェムト無線基地局の前記識別子として、前記フェムト無線基地局のハードウェア識別子と、前記フェムト無線基地局のシリアル番号と、前記フェムト無線基地局の所有者／運用者の番号との内の少なくとも１つを含むように構成されていることを特徴とする請求項２８に記載の無線アクセスネットワーク。
【発明の詳細な説明】
【技術分野】
【０００１】
本発明は無線通信に関し、特に、無線アクセスネットワーク（ＲＡＮ）の“フェムト”或いは“ピコ”無線基地局の動作に関するものである。
【背景技術】
【０００２】
通常のセルラ無線システムでは、無線ユーザ機器ユニット（ＵＥ）は無線アクセスネットワーク（ＲＡＮ）を介して１つ以上のコアネットワークと通信する。ユーザ機器ユニット（ＵＥ）は、移動体電話（“セルラ”電話）や移動体端末付きのラップトップ等の移動局であってもよく、従って、無線アクセスネットワークと、音声とデータの内の少なくともいずれかで通信する、例えば、携帯型、ポケット型、ハンドヘルド型、コンピュータ内蔵型、または車載型の移動体装置であってもよい。あるいは、無線ユーザ機器ユニットは固定無線装置、例えば、無線ローカルループ等の一部である固定セルラ装置／端末であってもよい。
【０００３】
無線アクセスネットワーク（ＲＡＮ）はセル領域へと分割されるある地理的領域をカバーし、各セル領域は基地局によってサービスされる。セルは基地局サイトの無線基地局装置によって無線カバレッジを提供される地理的領域である。各セルは一意のアイデンティティによって識別され、それはそのセルで同報される。基地局はエアインタフェースを介して基地局の範囲内のユーザ機器ユニット（ＵＥ）と通信する。無線アクセスネットワークでは通常、幾つかの基地局が無線ネットワーク制御局（ＲＮＣ）に（地上の通信線またはマイクロ波により）接続される。時には基地局制御局（ＢＳＣ）と称することもある無線ネットワーク制御局は、そこに接続された複数の基地局の種々のアクティビティを管理し調整する。無線ネットワーク制御局は通常１つ以上のコアネットワークに接続される。コアネットワークは２つのサービスドメインを持っており、ＲＮＣはこれらドメインの両方とのインタフェースを有する。
【０００４】
無線アクセスネットワークの１つの例は、全球規模の移動体通信（ＵＭＴＳ）の地上無線アクセスネットワーク（ＵＴＲＡＮ）である。ＵＭＴＳは、ある観点では、ＧＳＭ（Global System for Mobile communications）として知られるヨーロッパで開発された無線アクセス技術の上に構築された第３世代のシステムである。ＵＴＲＡＮは本質的には、ユーザ機器ユニット（ＵＥ）に対して広帯域コード分割多元接続（ＷＣＤＭＡ）を提供する無線アクセスネットワークである。第３世代パートナシッププロジェクト（３ＧＰＰ）が、ＵＴＲＡＮとＧＳＭベースの無線アクセスネットワーク技術をさらに進展させる任務を担っている。
【０００５】
当業者には理解できようが、ＷＣＤＭＡ技術では、共有周波数帯域により、ユーザ機器ユニットと複数の基地局との間の同時的な通信が可能である。共有周波数帯域を占める信号は、受信局において、高速の擬似雑音（ＰＮ）符号の使用に基づく拡散スペクトルＣＤＭＡ波形特性を通して判別される。これらの高速ＰＮ符号は、基地局とユーザ機器ユニット（ＵＥ）から送信される信号の変調に使用される。幾つものＰＮ符号（または時間のオフセットがあるＰＮ符号）を使用する送信局は、受信局で分離して復調できる信号を発生する。また、高速のＰＮ変調により、受信局が、送信信号の幾つかの異なる伝播経路を組み合わせて、１つの送信局からの受信信号を好適に生成できるようにもなる。従って、ＣＤＭＡでは、接続が１つのセルから別のセルへハンドオーバされる際に、ユーザ機器ユニット（ＵＥ）は周波数を切り替える必要が無い。その結果、元々のセルが接続へのサービスを継続するのと同時に、移動先のセルはそのユーザ機器ユニット（ＵＥ）への接続をサポートできる。ユーザ機器ユニット（ＵＥ）は、ハンドオーバ中も少なくとも１つのセルを通して常に通信し続けるので、通話の中断が生じない。このために“ソフトハンドオーバ”という用語がある。ハードハンドオーバとは対照的に、ソフトハンドオーバは“切れる前に繋ぐ（make-before-break）”切り替え動作である。
【０００６】
無線アクセスネットワークを包含するその他のタイプの通信システムには次のものが含まれる。即ち、汎欧州デジタル移動電話方式（ＧＳＭ）、改良型移動体電話サービス（ＡＭＰＳ）システム、狭帯域ＡＭＰＳシステム（ＮＡＭＰＳ）、トータルアクセス通信システム（ＴＡＣＳ）、パーソナルデジタルセルラ（ＰＤＣ）システム、米国デジタルセルラ（ＵＳＤＣ）システム、及びＥＩＡ／ＴＩＡ  ＩＳ−９５に記載のコード分割多元接続（ＣＤＭＡ）システムである。
【０００７】
ＵＴＲＡＮには幾つかの興味深いインタフェースがある。無線ネットワーク制御局（ＲＮＣ）とコアネットワークとの間のインタフェースは“Ｉｕ”インタフェースと呼ばれる。無線ネットワーク制御局（ＲＮＣ）との基地局（ＢＳ）との間のインタフェースは“Ｉｕｂ”インタフェースと呼ばれる。ユーザ機器ユニット（ＵＥ）と基地局との間のインタフェースは“エアインタフェース”、“無線インタフェース”、或いは、“Ｕｕ”インタフェースとして知られる。幾つかの事例では、接続は、ソースおよびサービングＲＮＣ（ＳＲＮＣ）と、ターゲット或いはドリフトＲＮＣ（ＤＲＮＣ）の両方を必要としており、ＳＲＮＣは接続を制御し、一方、その接続の１つ以上のダイバーシティレッグはＤＲＮＣによって扱われる。ＲＮＣ間の伝達リンクは、ソースＲＮＣとドリフト或いはターゲットＲＮＣとの間の制御信号とデータ信号の伝達に使用することができ、これは直接リンクであってもよくまたは論理リンクであってもよい。無線ネットワーク制御局間（例えば、サービングＲＮＣ（ＳＲＮＣ）とドリフトＲＮＣ（ＤＲＮＣ）との間）のインタフェースは“Ｉｕｒ”インタフェースと呼ばれる。
【０００８】
無線ネットワーク制御局（ＲＮＣ）はＵＴＲＡＮを制御する。その制御の役割を果たす際に、ＲＮＣはＵＴＲＡＮの資源を管理する。ＲＮＣが管理する資源は（とりわけ）基地局が送信するダウンリンク（ＤＬ）電力と、基地局が感知するアップリンク（ＵＰ）干渉と、基地局に設置されたハードウェアとを含む。
【０００９】
当業者であれば、ある種のＲＡＮ−ＵＥ接続に関して、ＲＮＣはサービングＲＮＣ（ＳＲＮＣ）の役割を有してもよいし、またドリフトＲＮＣ（ＤＲＮＣ）の役割を有してもよいことを認識する。ＲＮＣがサービングＲＮＣ（ＳＲＮＣ）である場合、ＲＮＣはユーザ機器ユニット（ＵＥ）との接続を担当し、例えば、無線アクセスネットワーク（ＲＡＮ）内の接続を全面的に制御する。サービングＲＮＣ（ＳＮＲＣ）はコアネットワークに接続される。他方、ＲＮＣがドリフトＲＮＣ（ＤＲＮＣ）である場合、それは、ユーザ機器ユニット（ＵＥ）との接続に必要な（ドリフトＲＮＣ（ＤＲＮＣ）によって制御されるセル内の）無線資源を供給することによりサービングＲＮＣ（ＳＲＮＣ）をサポートする。ドリフト無線ネットワーク制御局（ＤＲＮＣ）と、Ｉｕｂインタフェースによりドリフト無線ネットワーク制御局（ＤＲＮＣ）によって制御される基地局とを有するシステムは、ここではＤＲＮＣサブシステムまたはＤＲＮＳと呼ばれる。ＲＮＣは、ＩｕｂインタフェースによってそのＲＮＣに接続する基地局の制御ＲＮＣ（ＣＲＮＣ）と呼ばれる。このＣＲＮＣの役割は、ＵＥに限定されていない。ＣＲＮＣは、とりわけ、ＣＲＮＣにＩｕｂインタフェースにより接続される基地局のセルに関する無線資源管理を扱うことを担当する。
【００１０】
幾つかの通信事業者が、ある環境では、“フェムトＲＢＳ”、“ホームＲＢＳ”、“ピコＲＢＳ”、“マイクロＲＢＳ”の内、少なくともいずれかで呼ばれる小規模な無線基地局（“ＲＢＳ”）を使用して、限られた数のユーザのための家庭または小領域のＷＣＤＭＡカバレッジを提供する可能性について研究している。そのような研究によれば、小規模ＲＢＳは、エンドユーザに（例えば、ユーザ機器ユニット（ＵＥ）に対して）通常のＷＣＤＭＡカバレッジを提供し、ある種のＩＰベース伝送を使用してＲＮＣに接続される。そのようにして提供されるカバレッジ領域は、（そのカバレッジ領域が相対的に小さいことを示すために）“フェムトセル”と呼ばれる。フェムトセルの別の用語には“ピコセル”または“マイクロセル”が含まれ、マクロ即ち標準的な無線基地局（ＲＢＳ）がカバーするマクロセルと対照をなしている。
【００１１】
ＩＰベース伝送の１つの案は、（ｘＤＳＬ、ケーブル等のような）固定広帯域アクセスを使用してホームＲＢＳをＲＮＣに接続することである。もう１つの案は、無線広帯域アクセス（例えば、ＨＳＤＰＡと拡張アップリンク、或いはＷｉＭＡＸ）を使用することであろう。図５は、それら２つの異なるバックホール（backhaul）の案をより詳細に示す。第１の案は“ｘＤＳＬバックホール”とラベルが付され、第２の案は“ＷｉＭＡＸバックホール”とラベルが付されている。
【００１２】
一般に、普通のＷＣＤＭＡ基地局（マクロＲＢＳ）は、ＩＰベース伝送を使用してＲＮＣに接続できる。通信事業者の職員、例えば無線アクセスネットワーク（ＲＡＮ）のマクロＲＢＳノードおよびＲＮＣノードを所有または維持する事業会社の従業員は通常、マクロＲＢＳノードをインストールする。そのインストールの一部として、マクロＲＢＳは、マクロＲＮＣが接続するＲＮＣのＩＰアドレス指定情報（ＤＮＳ名、完全修飾ドメイン名（ＦＱＤＮ）、またはＩＰアドレス）を使用して、人手により設定される。
【００１３】
これとは対照的に、フェムトＲＢＳは通常、ネットワーク通信事業者というよりエンドユーザによってインストールされる。エンドユーザはまた、通信事業者がフェムトＲＢＳの再配置を制御できたりまたは制御しようとしなくても、フェムトＲＢＳを地理的にあちらこちらへと移動させることもできる。そのようなユーザ主導の再配置のためには、どこにフェムトＲＢＳがインストールまたは配置されようとも、フェムトＲＢＳを正しいＲＮＣに接続すべきことが必要である。この意味での“正しいＲＮＣ”または“好ましいＲＮＣ”または“適切なＲＮＣ”は、無線アクセスネットワーク（ＲＡＮ）のオーバレイしているマクロセルを制御しているのと同じＲＮＣであろう。
【００１４】
正しいＲＮＣへの接続が重要なのは、例えばフェムトＲＢＳセルとマクロＲＢＳセルとの間のローミングやハンドオーバに必要な隣接セルのリストの作成も改善するからである。さらに、そのことは制御ノード間のネットワークシグナリングも最小にする。
【発明の開示】
【発明が解決しようとする課題】
【００１５】
従って、ＲＢＳをＲＮＣのＩＰアドレス指定情報で手動で設定する現在の技術は、例えばフェムトＲＢＳがエンドユーザによってインストールされるので、フェムトＲＢＳの場合にはうまくゆかない。
【００１６】
それ故に、必要とされていることとここでの目的は、例えばＩＰ接続フェムトＲＢＳなどのフェムトＲＢＳにサービスを行う正しいＲＮＣに接続する方法、技術、装置およびシステムを備えることである。
【課題を解決するための手段】
【００１７】
本願の方法および装置により、フェムト無線基地局のアクティブ無線ネットワーク制御局ノードとして使用する無線アクセスネットワークの適切な無線ネットワーク制御局ノードにフェムト無線基地局を接続することが可能になる。フェムト無線基地局は、適切な無線ネットワーク制御局ノードのインターネットプロトコル（ＩＰ）アドレスの取得に使用するノードアドレス問い合わせを準備する。そのノードアドレス問い合わせに対する応答受信時、フェムト無線基地局はさらに、適切な無線ネットワーク制御局ノードのインターネットプロトコル（ＩＰ）アドレスを、アクティブ無線ネットワーク制御局ノードとして適切な無線ネットワーク制御局ノードとの接続に使用する。
【００１８】
いくつかの実施態様の例では、その接続は、フェムト無線基地局の常駐受信器から取得した無線アクセスネットワークのシステム情報（例えば、位置表示情報）を使用して達成される。フェムト無線基地局は、システム情報の少なくとも一部を使用してノードアドレス問合せを準備し、ノードアドレス問合せを使用して適切な無線ネットワーク制御局ノードのインターネットプロトコル（ＩＰ）アドレスを取得する。そのノードアドレス問合せに対する応答受信時、フェムト無線基地局は、適切な無線ネットワーク制御局ノードのインターネットプロトコル（ＩＰ）アドレスをさらに、そのアクティブ無線ネットワーク制御局ノードとして適切な無線ネットワーク制御局ノードとの接続に使用する。
【００１９】
その側面の１つからすると、この技術は無線アクセスネットワークを動作させる方法に係わる。その方法は次の基本的な工程の例を含む。即ち、ノードアドレス問合せを準備し送信する工程と、ノードアドレス問合せを使用し、適切な無線ネットワーク制御局ノードのインターネットプロトコル（ＩＰ）アドレスを取得する工程と、インターネットプロトコル（ＩＰ）アドレスを使用し、フェムト無線基地局のアクティブ無線ネットワーク制御局ノードとして、適切な無線ネットワーク制御局ノードとフェムト無線基地局とを接続する工程とである。いくつかの実施態様の例では、この方法は、フェムト無線基地局において無線インタフェースを通じて、無線アクセスネットワークに同報されるシステム情報を取得する工程と、そのシステム情報の少なくとも一部を使用し、ノードアドレス問合せを準備し送信する工程とをさらに有する。
【００２０】
この技術の別の側面は、エアインタフェースを通じて無線アクセスネットワークで同報されるシステム情報を受信する常駐無線受信器を備えるフェムト無線基地局の実施例に係わる。フェムト無線基地局は、インターネットプロトコル（ＩＰ）インタフェースに加えて、ノードアドレス問合せを準備するために、システム情報の少なくとも一部を使用する手段も備える。ＩＰインタフェースは、データベースにシステム情報の少なくとも一部を含むノードアドレス要求問合せを送信し、その問合せに対する応答として適切な無線ネットワーク制御局ノードのインターネットプロトコル（ＩＰ）アドレスを受信し、その適切な無線ネットワーク制御局ノードのアドレスを使用して、少なくとも１つのフェムト無線基地局のアクティブ無線ネットワーク制御ノードとして適切な無線ネットワーク制御局ノードにフェムト無線基地局を接続するために役立つ。
【００２１】
この本技術のさらに別の側面は、データベースと、複数の無線ネットワーク制御局ノードと、上に要約したようなフェムト無線基地局を少なくとも１つとを備える無線アクセスネットワークに係わる。
【００２２】
異なる実施形では、フェムトセルにオーバレイするマクロセルのマクロ無線基地局から同報され、フェムト無線基地局によって受信されるシステム情報は、（１）ＰＬＭＮ−ＩＤ、（２）ロケーションエリアコード（ＬＡＣ）および（３）セルアイデンティティ（ＣＩ）の中の少なくとも１つを含む。
【００２３】
いくつかの実施態様の例では、フェムト無線基地局は、システム情報の少なくとも一部を、完全修飾ドメイン名（ＦＱＤＮ、Fully Qualified Domain Name）の形式のノードアドレス問合せを構築或いは準備のために使用する。次いで、完全修飾ドメイン名（ＦＱＤＮ）は、フェムト無線基地局との接続のために適切な無線ネットワーク制御局ノードのインターネットプロトコル（ＩＰ）アドレスを取得するため、ドメインネームシステム（ＤＮＳ）データベースに問合せるために使用される。完全修飾ドメイン名（ＦＱＤＮ）は、同報されるシステム情報の少なくとも一部を使用して少なくとも一部は形成されるものであり、組み合わせが場合によっては（１）ＰＬＭＮ−ＩＤと（２）ロケーションエリアコード（ＬＡＣ）と（３）セルアイデンティティ（ＣＩ）との内の２つ以上の部分の連結であるような、（１）ＰＬＭＮ−ＩＤと（２）ロケーションエリアコード（ＬＡＣ）と（３）セルアイデンティティ（ＣＩ）との中の２つ以上の部分の組み合わせを含んでもよい。
【００２４】
いくつかの実施態様の例では、適切な無線ネットワーク制御局ノードのインターネットプロトコル（ＩＰ）アドレスを取得するために、フェムト無線基地局は、ドメインネームシステム（ＤＮＳ）データベースに、完全修飾ドメイン名（ＦＱＤＮ）を含む問合せを直接送信する。別の実施態様の例では、フェムト無線基地局は、無線ネットワーク制御局ノードに、完全修飾ドメイン名（ＦＱＤＮ）を含む問合せを送信する。その無線ネットワーク制御局ノードは、適切な無線ネットワーク制御局ノードのインターネットプロトコル（ＩＰ）アドレスを取得するために、完全修飾ドメイン名（ＦＱＤＮ）をドメインネームシステム（ＤＮＳ）データベースに転送する。適切な無線ネットワーク制御局ノードのインターネットプロトコル（ＩＰ）アドレスを受信する時、無線ネットワーク制御局ノードは、フェムト無線基地局に同じものを転送する。さらに別の実施態様の例では、フェムト無線基地局は、完全修飾ドメイン名（ＦＱＤＮ）を含む問合せを汎用リダイレクタノード（Generic Redirector Node）に送信し、汎用リダイレクタノードは、適切な無線ネットワーク制御局ノードのインターネットプロトコル（ＩＰ）アドレスを取得するために、完全修飾ドメイン名（ＦＱＤＮ）をドメインネームシステム（ＤＮＳ）データベースに転送する。適切な無線ネットワーク制御局ノードのインターネットプロトコル（ＩＰ）アドレスを受信する時、汎用リダイレクタノードは、フェムト無線基地局に同じものを転送する。
【００２５】
いくつかの実施態様の例では、フェムト無線基地局は、システム情報とフェムト無線基地局に関する識別子の一方または両方の少なくとも一部を、ノードアドレス要求メッセージの形式のノードアドレス問合せの構築または準備のために使用する。フェムト無線基地局は、ノードアドレス要求メッセージを無線ネットワーク制御局ノードまたは汎用リダイレクタノードに送信する。無線ネットワーク制御局ノードまたは汎用リダイレクタノードは、場合によっては、ノードアドレス要求メッセージに含まれるシステム情報とフェムト無線基地局に関する識別子の一方または両方の少なくとも一部をデータベースに転送し、適切な無線ネットワーク制御局ノードのインターネットプロトコル（ＩＰ）アドレスを取得する。そのデータベースは、無線ネットワーク制御局ノードおよび汎用リダイレクタノードと同一場所に配置されてもよいし、別個でもよい。適切な無線ネットワーク制御局ノードのインターネットプロトコル（ＩＰ）アドレスを受信する時、無線ネットワーク制御局ノード（または汎用リダイレクタノード）は、フェムト無線基地局に同じものを転送する。いくつかの実施例では、フェムト無線基地局は、フェムト無線基地局との接続のために適切な無線ネットワーク制御局ノードのインターネットプロトコル（ＩＰ）アドレスをデータベースから取得するために、システム情報とフェムト無線基地局に関する識別子の少なくとも一部を使用してもよい。フェムト無線基地局に関する識別子は、フェムト無線基地局のハードウェア識別子と、フェムト無線基地局のシリアル番号と、フェムト無線基地局の所有者／運用者番号との内の少なくとも１つを含んでもよい。
【００２６】
本発明の先述した、また他の目的、特徴、および利点は、添付図面に示されるように、好適な実施例についての以下のより具体的な説明から明らかになろう。その図面では、参照文字は、種々の図を通して同じ部分を参照するものとする。図面は必ずしも原寸に対応するものではなく、その代わり、本発明の原理を図示することに重きが置かれている。
【発明を実施するための最良の形態】
【００２７】
以下の記述では、説明の目的でしかし限定は目的とせずに、特定のアーキテクチャ、インタフェース、技術等の具体的な詳細について説明し、本発明の完全な理解に供する。しかしながら、本発明がこれらの具体的な詳細とは異なる別の実施例においても実施可能であることは当業者には明らかであろう。即ち、当業者には、ここでは明確に説明したり図示したりはしていないが、本発明の原理を実施し、またその範囲と精神に含まれる種々の構成を考えることができよう。いくつかの例では、既知の装置、回路、および方法についての詳細な説明は、不必要な詳細でもって本発明の説明が曖昧化することのないよう割愛する。ここにおける、本発明の原理、態様、および実施例ならびにその具体例に言及する全ての説明は、それに等価な構造と機能の両方を包含することが意図されている。さらに、そのような等価物には、現在知られている等価物のみならず将来開発される等価物、例えば、その構造に関わらず同じ機能を実行する開発された任意の要素が含まれることが意図されている。
【００２８】
従って、例えば、ここでのブロック図がこの技術の原理を具体化する例示的な回路を示す概念図を表現できることは、当業者には理解されよう。同様に、フローチャート、状態遷移図、擬似コード等のいずれも、コンピュータ可読媒体中に実質的に表現され、コンピュータまたはプロセッサが明示されているか否かに関わりなく、そのようなコンピュータまたはプロセッサによって実行される種々のプロセスを表現することが認識されよう。
【００２９】
“プロセッサ”または“コントローラ（制御局・装置）”とラベルが付された機能ブロックを含む種々の要素の機能は、専用ハードウェアのみならず適切なソフトウェアと関連付けられたソフトウェアを実行可能なハードウェアの使用により提供されてもよい。プロセッサにより提供される場合、その機能は、単一の専有プロセッサ、単一の共有プロセッサ、または、それらの幾つかが共有または分散化された複数の個別のプロセッサにより提供されてもよい。さらに、用語“プロセッサ”または“コントローラ（制御局・装置）”が明白に使用された場合であっても、ソフトウェアを実行可能なハードウェアのみに言及すると解釈されるべきではなく、デジタル信号処理装置（ＤＳＰ）ハードウェア、ソフトウェアを記憶する読み取り専用メモリ（ＲＯＭ）、ランダムアクセスメモリ（ＲＡＭ）、および非揮発性メモリが含まれてもよく、また、これらに限定されるものでもない。
【００３０】
これに限定するものではないが図１Ａに示される通信システム１０を例にとって本発明について説明する。通信システム１０はコアネットワーク２０に接続される。通信システム１０は無線アクセスネットワーク２４を含む。無線アクセスネットワーク２４は１つ以上の無線ネットワーク制御局ノード（ＲＮＣ）２６と１つ以上の無線基地局（ＢＳ）２８を含む。例として、図１Ａは特に、２つの、即ち、第１の無線ネットワーク制御局２６1と第２の無線ネットワーク制御局２６2とを示しており、また、マクロ無線基地局（図１Ａにはマクロ無線基地局２８M１つだけが示される）と複数のフェムト無線基地局２８f1、２８f2、……２８fxの両方を示している。マクロ無線基地局２８MはマクロセルＣMにサービスする。フェムト無線基地局２８f1、２８f2、……２８fxはそれぞれのフェムトセルＣf1、Ｃf2、……Ｃfxにサービスする。当業者の理解するところでは、無線基地局はそれぞれの無線基地局がサービスするセルの内部（例えば、中央）に設置されるのが普通であるが、説明をわかり易くするために、図１Ａのマクロ無線基地局とフェムト無線基地局はそのようにではなく、双方向矢印によりそれらそれぞれのセルと関連付けて示している。フェムトセルＣf1、Ｃf2、……Ｃfxの少なくとも幾つかは地理的にマクロセルＣMと重なっているか含まれている。
【００３１】
ここで用いられるように、“フェムト無線基地局”はピコ無線基地局またはマイクロ無線基地局の意味も持ち、フェムトセル（もしくはピコセルまたはマイクロセル）にサービスする。フェムトセルは通常１つ以上のマクロセルと重なっており、マクロセルよりも小さ目の地理的領域または加入者顧客層にサービスする。ここで説明する技術は、フェムト無線基地局について特別な利点を持っており、フェムト無線基地局は、無線アクセスネットワークの所有者／通信事業者によってインストールや再配置を制御されることなく、その無線アクセスネットワーク内でインストールしたり、再配置することの内、少なくともいずれかができる。言い換えれば、非ネットワーク通信事業者エンティティ（フェムトの運用者或いはエンドユーザ）がフェムト無線基地局を取得でき、フェムトの運用者の嗜好に合わせてフェムト無線基地局を設置することができる。この点に関して、図１Ａは、フェムトの運用者によって最近起動されたそのようなフェムト無線基地局２８f-newを図らずも示している。フェムト無線基地局２８f-newは、そのフェムトセルＣf-newがマクロセルＣMと重なるように、地理的に設置または配置されている。
【００３２】
図１Ａに示されるユーザ機器ユニット（ＵＥ）３０のようなユーザ機器ユニット（ＵＥ）は、１つ以上のセルまたは１つ以上の基地局（ＢＳ）２８と無線またはエアインタフェース３２を介して通信する。ユーザ機器ユニットは、携帯電話（“セルラ”電話）や移動体端末付きのラップトップ等の移動局であってもよく、従って、無線アクセスネットワークと音声とデータとの内、少なくともいずれかを通信する、例えば、携帯型、ポケット型、ハンドヘルド型、コンピュータ内蔵型、または車載型の移動機器であってもよい。
【００３３】
図１Ａに示される無線アクセスネットワーク２４は、そう限定するものではないが、例として、ＵＭＴＳ地上無線アクセスネットワーク（ＵＴＲＡＮ）であってもよい。ＵＴＲＡＮでは、無線アクセスは、個々の無線チャンネルがＣＤＭＡ拡散コードを使用して割り当てられる広帯域コード分割多元接続（ＷＣＤＭＡ）に基づくことが好ましい。勿論、別のアクセス法を使用してもよい。ノード２６および２８は、ＵＴＲＡＮの例であることを考慮すると、それぞれ、無線ネットワーク制御局ノード、無線基地局ノードと呼ばれる。なお、無線ネットワーク制御局と無線基地局という用語はまた、別タイプの無線アクセスネットワークについての同様の機能を持つノードを包含するものと理解されたい。それら別タイプの無線アクセスネットワークを包含する他のタイプの通信システムには次のものが含まれる。即ち、汎欧州デジタル移動電話方式（ＧＳＭ）、改良型移動体電話サービス（ＡＭＰＳ）システム、狭帯域ＡＭＰＳシステム（ＮＡＭＰＳ）、トータルアクセス通信システム（ＴＡＣＳ）、パーソナルデジタルセルラ（ＰＤＣ）システム、米国デジタルセルラ（ＵＳＤＣ）システム、及びＥＩＡ／ＴＩＡ  ＩＳ−９５に記載のコード分割多元接続（ＣＤＭＡ）システムである。
【００３４】
無線アクセスネットワーク２４は、ＵＴＲＡＮではＩｕインタフェースであるようなインタフェースを介してコアネットワーク２０に接続される。図１Ａのコアネットワーク２０はとりわけ、移動体交換センタ（ＭＳＣ）ノード、ゲートウェイＭＳＣ（ＧＭＳＣ）ノード、ゲートウェイ汎用パケット無線サービス（ＧＰＲＳ）サポートノード（ＧＧＳＮ）、及びサービングＧＰＲＳサポートノード（ＳＧＳＮ）を含む。回線交換（ＣＳ）ネットワーク或いはパケット交換（ＰＳ）ネットワークがコアネットワーク２０に接続できる。
【００３５】
単純化のため、図１Ａの無線アクセスネットワーク２４にはＲＮＣノード２６を２つしか示していない。複数の無線ネットワーク制御局ノード（ＲＮＣ）が備えられてもよく、各ＲＮＣ２６は１つ以上の基地局（ＢＳ）２８に接続される。図１Ａに示されたのとは異なる数の基地局が無線ネットワーク制御局２６によりサービスを受けることができ、ＲＮＣは同数の基地局にサービスを行う必要はないことが認識されよう。さらに、ＲＮＣはＩｕｒインタフェースを介して無線アクセスネットワーク２４における１つ以上の別のＲＮＣに接続することができる。無線ネットワーク制御局ノード（ＲＮＣ）２６はインタフェースＩｕｂを介してマクロ無線基地局２８Mと通信する。さらに、当業者はまた、マクロ無線基地局２８のような基地局はこの技術分野では、無線基地局、ノードＢ、またはＢノードと呼ばれることもあることを認識するであろう。無線インタフェース３２、Ｉｕインタフェース、Ｉｕｒインタフェース、及びＩｕｂインタフェースの各々は、図１Ａでは点線で示されている。
【００３６】
図１Ａでは、フェムト無線基地局２８fは、通信ネットワーク３８に接続している。そのような通信ネットワークの一例は、ＩＰネットワーク３８である。
【００３７】
図１Ａはまた、無線アクセスネットワークがドメインネームシステム（ＤＮＳ）データベース４２も有していることを示している。ドメインネームシステム（ＤＮＳ）データベース４２は、ＩＰネットワーク３８に接続している。リモートユニットのドメインネームシステム（ＤＮＳ）データベース４２は、図に示すように無線アクセスネットワーク２４の個別ノードとして備えられてもよいし、別のノードの付属物（例えば、１つ以上の無線ネットワーク制御局ノード（ＲＮＣ）２６に含まれる）でもよい。代わりに、場合によっては、ドメインネームシステム（ＤＮＳ）データベース４２へのアクセスは、コアネットワーク２０を通してさえ提供されてもよい。
【００３８】
ドメインネームシステム（ＤＮＳ）データベース４２は、ＦＱＤＮで問合せを受けたとき、ドメインネームシステム（ＤＮＳ）データベース４２が問合せのＦＱＤＮに対応する適切な無線ネットワーク制御局ノードのインターネットプロトコル（ＩＰ）アドレスを返すように構成される。
【００３９】
図４に描くフォーマットの例で示されるように、ドメインネームシステム（ＤＮＳ）データベース４２は、完全修飾ドメイン名（ＦＱＤＮ）の１つ以上のセットを特定の無線ネットワーク制御局ノードと関連付ける情報を格納し、問合せを受けたとき、その問合せに含まれるＦＱＤＮに合致する特定の無線ネットワーク制御局ノードのＩＰネットワークアドレスをその問合せに応じて返すことができるようにする。以下に説明するように、そのような問合せと応答のプロセスでは、ドメインネームシステム（ＤＮＳ）データベース４２は、フェムト無線基地局が接続し、そのアクティブ無線ネットワーク制御局ノードとして使用すべき、適切な（例えば、最適または好ましい）無線ネットワーク制御局ノードのアドレスを問合せたフェムト無線基地局に返す。
【００４０】
図１Ａは、フェムト無線基地局２８f-newの無線アクセスネットワーク（ＲＡＮ）、例えば、その無線ネットワーク制御局ノード（例えば、具体的に示すシナリオでは無線ネットワーク制御局ノード２６1）への典型的アクセスを図解していると見なしてもよい。“典型的アクセス”が意味していることは、フェムト無線基地局２８f-newに与えられるアクセスは、前述のようにブロードバンド固定アクセスでもよいし、ブロードバンド無線（移動体）アクセス（例えば、ＷｉＭＡＸ）でもよいということである。ブロードバンド無線（移動体）アクセスでは、フェムト無線基地局２８f-newの無線アクセスネットワーク２４へのアクセスは、マクロ無線基地局を通してであり、例えば、高速ダウンリンクパケットアクセス（ＨＳＤＰＡ）およびエンハンストアップリンク、あるいはＷｉＭＡＸなどを使用して行われてもよい。アクセスタイプに包括的に応えるために、図１では、フェムト無線基地局２８f-newを含むフェムト無線基地局２８fは、通信ネットワーク３８に接続されている。そのような通信ネットワークの一例は、ＩＰネットワーク３８である。その文脈で特段明確に除外しない限り、ここに記載の技術の態様は、ブロードバンド固定アクセスとブロードバンドモ移動体アクセス（例えば、ブロードバンド無線アクセス）を含むあらゆるタイプのアクセスに適用可能である。
【００４１】
図２は、一般的なフェムト無線基地局２８fの例で選択した基本的代表的構成要素を示している。１つ以上のフェムト無線基地局２８f1、２８f2、…、２８fxが、図２に示す一般的フェムト無線基地局２８fの形態を取ってもよい。図２の示すところでは、フェムト無線基地局２８fは、他の示されていない構成要素はあるが、ＩＰインタフェースユニット５０、１つ以上の無線周波数トランシーバ５２、無線周波数受信器５４、データ処理システム／部／ユニット５６を有する。
【００４２】
無線周波数トランシーバ５２は、フェムト無線基地局２８fによりサービスを受けるフェムトセル内のユーザ機器ユニット（ＵＥ）と無線或いはエアインタフェースを通じて通信するためのものである。無線周波数トランシーバ５２の数は、移動体接続を扱うフェムト無線基地局の容量を含む種々の要因に依存する。
【００４３】
図示の実施例では、受信器５４はフェムト無線基地局２８fに常駐し、フェムト無線基地局において無線インタフェースを通じ、無線アクセスネットワーク２４で同報されるシステム情報の取得に役立つ。例えば、一つの実施態様の例では、フェムト無線基地局２８fは、その無線周波数受信器５４としてＷＣＤＭＡ受信部（ＵＥ）を備えるか、または装備し、それによってフェムト無線基地局が受信可能なセル（ＷＣＤＭＡのマクロセルとフェムトセルの両方を含む）からの信号を一時的に留め（camp on）、それらのセルで同報される関連のシステムまたはネットワークの情報の読み取りを可能にする。一実施形では、フェムトセルにオーバレイするマクロセルのマクロ無線基地局から同報され、フェムト無線基地局で受信されるシステム情報は、（１）ＰＬＭＮ−ＩＤと（２）ロケーションエリアコード（ＬＡＣ）と（３）セルアイデンティティ（ＣＩ）との内の少なくとも１つを含む。
【００４４】
従って上述のように、フェムト無線基地局は、無線周波数受信器５４として、一実施例では、例えば、ＷＣＤＭＡ受信器あるいはＵＥおよびＵＳＩＭを装備してもよい。後で説明するように、このＵＥ／ＵＳＩＭは、マクロセルへの接続に使用されてもよく、次いでマクロセルは、ＲＮＣに接続するために移動体ブロードバンドアクセスを提供する。
【００４５】
常駐受信器５４の使用は、フェムト無線基地局２８fがシステム情報または位置表示情報（システム情報または位置表示情報は、ＦＱＤＮの少なくとも一部の形成に利用される）を取得し得る手法の単なる一例である。ここに記載され、特に、ドメインネームシステム（ＤＮＳ）データベースへの問合せのために、フェムト無線基地局におけるＦＱＤＮの形成／使用を含む技術は、フェムト無線基地局が常駐受信部を持たず、例えばフェムト無線基地局によりサービスを受けるユーザ機器ユニットなどの外部からシステム情報または位置表示情報を取得しなければならない他の実施例にも適用可能である。
【００４６】
ＲＢＳデータ処理システム５６は、ＦＱＤＮ形成ユニット５８を有する。ここに説明するように、ＦＱＤＮ形成ユニット５８は、完全修飾ドメイン名（ＦＱＤＮ）を形成するために、（例えば、無線周波数受信器５４などにより取得された）システム情報またはシステム情報の少なくとも一部使用する。ＦＱＤＮ形成ユニット５８は、図示のようにＲＢＳデータ処理システム５６の一部として含まれてもよいし、前述のようにそれらの用語の広い意味において、個別のコントローラまたはプロセッサとして備えられてもよい。
【００４７】
図３は、無線ネットワーク制御局ノード２６の例の選択した基本的代表的構成要素を示している。無線ネットワーク制御局ノード２６は、Ｉｕインタフェースを通じて無線ネットワーク制御局ノード２６をコアネットワーク２０に接続するインタフェースユニット７０と、Ｉｕｒインタフェースを通じて無線ネットワーク制御局ノード２６を他の無線ネットワーク制御局（不図示）に接続するインタフェースユニット７２と、Ｉｕｂインタフェースを通じて無線ネットワーク制御局ノード２６を１つ以上のマクロ無線基地局２８Mにそれぞれ接続する１つ以上のインタフェースユニット７４と、無線ネットワーク制御局ノード２６を１つ以上のフェムト無線基地局２８f1、２８f2、…、２８fxにそれぞれ接続する１つ以上のインタフェースユニット７６などのいくつかのインタフェースユニットとを有していてもよい。ＲＮＣ２６とフェムト無線基地局２８mとの間の接続は、通信ネットワーク３８を通じて行われてもよく、例えば、インターネットプロトコル（ＩＰ）ベースの伝送を利用してもよい。ＲＮＣ２６とマクロ無線基地局２８Mとの間の接続は、例えば、インターネットプロトコル（ＩＰ）ベースの伝送とＡＴＭベースの伝送との内、少なくともいずれかを利用してもよい。
【００４８】
インタフェースユニットに加えて、無線ネットワーク制御局ノード２６は、データ処理システム／部／ユニット８０のみならず、多数の不図示の構成要素を備える。図３に示す非限定的な実施形の例では、無線ネットワーク制御局ノード２６のデータ処理システム８０は、制御部（例えば、コントローラ８２）と、ハンドオーバユニット８４と、（例えば、接続のダイバーシティレッグの扱いなどに関与する）コンバイナ及びスプリッタユニット８６とを有する。
【００４９】
図１Ａに示す時点では、フェムト無線基地局２８f-newがフェムト運用者によってちょうど起動されたところである。起動直後、フェムト無線基地局２８f-newは、（イベントまたはステップＳ−１Ａで示されるように）無線アクセスネットワーク２４の環境でのその特定の位置をまだ知らず、それ故、フェムト無線基地局２８f-newのアクティブ無線ネットワーク制御局としてサービスを行うために、どの無線ネットワーク制御局ノード２６が最適の位置（地理的にまたは他の点で）にあるかを知らない。図１Ａに示す状況では、フェムト無線基地局２８f-newはマクロセルＣMの中に位置していて、マクロセルＣMは、無線基地局２６Mと第２の無線ネットワーク制御局ノード２６2からサービスを受けている。それ故、無線アクセスネットワーク２４のトポロジから判断して、フェムト無線基地局２８f-newに対する正しい／好ましい無線ネットワーク制御ノードは、第１の無線ネットワーク制御局ノード２６1ではなくて、第２の無線ネットワーク制御局ノード２６2である。
【００５０】
無線アクセスネットワーク２４での自分の位置に関して知らないという点からすれば、フェムト無線基地局２８f-newは、無線周波数受信器５４を起動し、無線周波数受信器５４を使用して、無線インタフェースを通じて、無線アクセスネットワーク２４に同報されるシステム情報を確認または取得する。この点に関して、図１Ｂは、イベントまたはステップＳ−１Ｂとして、システム情報の取得を示している。
【００５１】
システム情報（位置表示情報としても知られる）は、次のもの、即ち、（１）ＰＬＭＮ−ＩＤと（２）ロケーションエリアコード（ＬＡＣ）と（３）セルアイデンティティ（ＣＩ）との内の１つ以上を含むことができる。ＰＬＭＮ−ＩＤは、マスタ情報ブロック（ＭＩＢ）からデコードできる。ロケーションエリアコード（ＬＡＣ）は、デコードシステム情報ブロック１（ＳＩＢ１）からデコードされる。セルアイデンティティ（ＣＩ）は、システム情報ブロック３（ＳＩＢ３）からデコードされる。ＵＴＲＡＮセルアイデンティティは２８ビットから構成され、普通その中の１２ビットがＲＮＣ識別子を含めるために使用される。このことは、この場合はセルアイデンティティ（ＣＩ）が１つのＰＬＭＮのＲＮＣを特定するために使用できることを意味する。
【００５２】
図１Ｃは、イベントまたはステップＳ−１Ｃとして、フェムト無線基地局２８f-newが、完全修飾ドメイン名（ＦＱＤＮ）を作成するためにシステム情報の少なくとも一部を使用することを示している。完全修飾ドメイン名（ＦＱＤＮ）の作成は、フェムト無線基地局２８f-newのＦＱＤＮ形成ユニット５８で実行される。
【００５３】
従って、無線周波数受信器５４が周囲のマクロカバレッジを探索し、無線周波数受信器５４を有するＵＥに対して許される最善のＵＴＲＡＮセルに一時的に留まった（camp on）後、どのＰＬＭＮが許されるのかを見つけるためにＵＳＩＭ情報が使用される。そのＵＥ、例えば、無線周波数受信器５４は、関連のシステム情報を読み取り、それをＦＱＤＮ形成ユニット５８に伝達する。次いでＦＱＤＮ形成ユニット５８は、少なくとも一部はシステム情報に基づいて完全修飾ドメイン名（ＦＱＤＮ）を作成する。
【００５４】
一旦、完全修飾ドメイン名（ＦＱＤＮ）が（後で記述されるやり方などで）形成されると、図１Ｄに示すように、フェムト無線基地局は、完全修飾ドメイン名（ＦＱＤＮ）をドメインネームシステム（ＤＮＳ）データベース４２への問合せに使用する。フェムト無線基地局２８f-newの一実施例では、完全修飾ドメイン名（ＦＱＤＮ）は、図１ＤのステップまたはイベントＳ−１Ｄで描かれるように、ノードアドレス問合せとしてＩＰインタフェースユニット５０に伝達される。ＩＰインタフェースユニット５０は、完全修飾ドメイン名（ＦＱＤＮ）を含むノードアドレス問合せをドメインネームシステム（ＤＮＳ）データベース４２へ送信するのに役立つ。ドメインネームシステム（ＤＮＳ）データベース４２にアクセスするために、フェムト無線基地局２８f-newは、ドメインネームシステム（ＤＮＳ）データベース４２のネットワークアドレスを前もって知っている。例えば、ドメインネームシステム（ＤＮＳ）データベース４２のネットワークアドレスは前もって格納されているか、または、例えば動的ホスト構成プロトコル（ＤＨＣＰ）サーバを使用してＩＰインタフェースユニット５０に前もってダウンロードされる。例として、図２は、ドメインネームシステム（ＤＮＳ）データベース４２のＩＰアドレスの記憶用に（不揮発性が好ましい）メモリ９４を有するフェムト無線基地局２８fを示している。
【００５５】
図１Ｅは、ステップまたはイベントＳ−１Ｅとして、ドメインネームシステム（ＤＮＳ）データベース４２がフェムト無線基地局２８f-newからノードアドレス問合せ（照会）を受信し、適切なまたは正しい無線ネットワーク制御局ノードのＩＰアドレスと照会のＦＱＤＮとを合致させるために検索を実行する様子を描いている。図４に示すように、ドメインネームシステム（ＤＮＳ）データベース４２の一構成例では、無線ネットワーク制御局ノードのＩＰアドレスはおそらく、いくつかの照会、例えば、いくつかの完全修飾ドメイン名（ＦＱＤＮ）に関連付けられる。
【００５６】
図１Ｅは、ドメインネームシステム（ＤＮＳ）データベース４２が、照会のＦＱＤＮに合致するか、または、適切に応答する適切なまたは正しい無線ネットワーク制御局ノードのＩＰアドレスの形式で、フェムト無線基地局２８f-newに応答を返すところも描いている。フェムト無線基地局２８f-newのＩＰインタフェースユニット５０は、照会に対する応答（適切な／正しい無線ネットワーク制御局ノードのインターネットプロトコル（ＩＰ）アドレス）の受信のために役立つ。適切な／正しい無線ネットワーク制御局ノードのインターネットプロトコル（ＩＰ）アドレスは、図２に示すメモリ９６などのメモリまたはレジスタに格納される。
【００５７】
図１Ｆは、それに続く動作段階として、フェムト無線基地局２８f-new、特に、ＩＰインタフェースユニット５０が、（図１Ａ〜図１Ｅを参照した上記の手法で取得した）適切な／正しい無線ネットワーク制御局ノードのインターネットプロトコル（ＩＰ）アドレスを用いて、フェムト無線基地局のアクティブ無線ネットワーク制御ノードとしてフェムト無線基地局が使用する適切な／正しい無線ネットワーク制御局ノードに接続するところを描いている。図１Ｆに示す特定の状況では、ＩＰインタフェースユニット５０は、ＩＰネットワーク３８を通じて、第２の無線ネットワーク制御局ノード２６2に接続する。ネットワークトポロジの点からすれば、第２の無線ネットワーク制御局ノード２６2は、フェムト無線基地局２８f-newの正しい／好ましい無線ネットワーク制御ノードである。ＩＰネットワーク３８を通じた無線ネットワーク制御局ノード２６2への接続は、図１ＦのステップまたはイベントＳ−１Ｆで描かれている。
【００５８】
従って、前述の図示した手法の例では、ＦＱＤＮ形成ユニット５８で作成されたＦＱＤＮは、ドメインネームシステム（ＤＮＳ）データベース４２への問合せに使用され、正しいＲＮＣのＩＰアドレスが見つけられる。これにより、フェムト無線基地局２８f-newは、ドメインネームシステム（ＤＮＳ）データベース４２により選択されたアドレスを持つ無線ネットワーク制御局ノードとのＩＰ接続を開始することが可能になる。
【００５９】
図１Ａ〜図１Ｆの実施態様では、ＦＱＤＮ形成ユニット５８で作成されたＦＱＤＮは、正しいＲＮＣのＩＰアドレスを見つけるために、直接ドメインネームシステム（ＤＮＳ）データベース４２への問合せに使用される。図６に示す別の実施態様では、ＦＱＤＮ形成ユニット５８で作成されたＦＱＤＮが、ノードアドレス問合せとして無線ネットワーク制御局ノードに送信され、次いでその無線ネットワーク制御局ノードがドメインネームサーバ（ＤＮＳ）データベース４２（６）などのデータベースに照会する。図６の実施例では、フェムト無線基地局２８fのインタフェース５０は、“拡張Ｉｕｂ”インタフェース（“Ｉｕｂ＋”インタフェース）として知られるインタフェースを通じて、通信ネットワーク３８と接続する。拡張Ｉｕｂ＋インタフェースは、ＩＰネットワーク３８を通じたインターネットプロトコル（ＩＰ）接続によって形成されるのが好ましい。いくつかの実施形では、Ｉｕｂ＋インタフェースはＩｕｂインタフェースに似ているが、追加情報を伝達するように修正されている。図６の実施例の動作は、図１Ａ〜図１Ｆの実施態様の図１Ａ〜図１Ｃに描かれているものと本質的に同じ手法で始まる。しかし、前の実施例とは対照的に、図６の実施態様に関しては、ステップＳ−６Ｄ（１）は、フェムト無線基地局２８fのＩＰインタフェースユニット５０が、完全修飾ドメイン名（ＦＱＤＮ）を含む照会を無線ネットワーク制御局ノード２６1に送信するところを示している。無線ネットワーク制御局ノード２６1は、フェムト無線基地局２８fが前もって知っている（例えば、事前構成された）ネットワークアドレスを持つデフォルトＲＮＣでよい。ステップＳ−６Ｄ（２）は、無線ネットワーク制御局ノード２６1が、フェムト無線基地局２８fが作成した完全修飾ドメイン名（ＦＱＤＮ）を含む照会でドメインネームサーバ（ＤＮＳ）データベース４２（６）に照会するところを示している。図６に示す特定の実施例では、ドメインネームサーバ（ＤＮＳ）データベース４２（６）は、無線ネットワーク制御局ノード２６1のノードとは異なる別のノードに位置している。しかし他の実施例では、ドメインネームサーバ（ＤＮＳ）データベース４２（６）は、デフォルト無線ネットワーク制御局ノード２６1と同一場所に位置してもよい。
【００６０】
図６がステップまたはイベントＳ−６Ｅ（１）としてさらに描くのは、ドメインネームシステム（ＤＮＳ）データベース４２が無線ネットワーク制御局ノード２６1から照会を受信し、適切なまたは正しい無線ネットワーク制御局ノードのＩＰアドレスと照会のＦＱＤＮとを合致させるための探索を実行するところである。図６がステップまたはイベントＳ−６Ｅ（２）としてまた描くのは、ドメインネームシステム（ＤＮＳ）データベース４２が、照会のＦＱＤＮに合致するかまたは適切に応答する適切なまたは正しい無線ネットワーク制御局ノードのＩＰアドレスの形式で、無線ネットワーク制御局ノード２６1に応答を返信するところである。ステップまたはイベントＳ−６Ｅ（３）として、無線ネットワーク制御局ノード２６1は、ドメインネームサーバ（ＤＮＳ）データベース４２（６）からの応答を、フェムト無線基地局２８f-newのＩＰインタフェースユニット５０へ転送する。従って、フェムト無線基地局２８f-newのＩＰインタフェースユニット５０は、照会への応答（適切な／正しい無線ネットワーク制御局ノードのインターネットプロトコル（ＩＰ）アドレス）の受信のために役立つ。適切な／正しい無線ネットワーク制御局ノードのインターネットプロトコル（ＩＰ）アドレスは、前に説明したように、フェムト無線基地局２８fのメモリまたはレジスタに格納される。図６の実施態様の例では、無線ネットワーク制御局ノード２６1でなくて、無線ネットワーク制御局ノード２６2が、フェムト無線基地局２８fの適切な／正しい無線ネットワーク制御局ノードであるとなっている。
【００６１】
次いで、ステップまたはイベントＳ−６Ｆで描かれる続く動作の段階として、フェムト無線基地局２８f-new、特に、ＩＰインタフェースユニット５０は、適切な／正しい無線ネットワーク制御局ノードのインターネットプロトコル（ＩＰ）アドレスを用いて、フェムト無線基地局のアクティブ無線ネットワーク制御ノードとして、フェムト無線基地局が使用する適切な／正しい無線ネットワーク制御局ノードに接続する。図１Ｆに示す特定の状況では、ＩＰインタフェースユニット５０は、ＩＰネットワーク３８を通じて第２の無線ネットワーク制御局ノード２６2に接続する。ネットワークトポロジからすれば、第２の無線ネットワーク制御局ノード２６2は、フェムト無線基地局２８f-newの正しい／好ましい無線ネットワーク制御ノードである。ＩＰネットワーク３８を通じた無線ネットワーク制御局ノード２６2との接続は、図６のステップまたはイベントＳ−６Ｆで描かれている。
【００６２】
従って、図６の実施態様では、フェムト無線基地局２８fとデフォルト無線ネットワーク制御局ノード２６1との間のＩｕｂ＋インタフェースは、Ｉｕｂインタフェースに似ているが、例えば、ステップＳ−６Ｃの照会とステップＳ−６Ｄ（３）の応答などの追加情報を伝達するために修正されている。
【００６３】
図７の実施態様は、図６の実施態様に似ているが、汎用リダイレクタノード１００を有する。汎用リダイレクタノード１００は、図６の無線ネットワーク制御局ノード２６1と同様のステップおよび機能を実行するが、Ｉｕｂ拡張プロトコルすなわちＩｕｂ＋プロトコルの代わりに、“リダイレクトリ”インタフェースを通じて新しいプロトコルすなわち“リダイレクトリ”プロトコルを使用する。“リダイレクトリ”プロトコルは、例えば、問合せ情報と一般ノードへの応答を搬送するように構成された何らかの新しいプロトコルでよい。従って、図７は、ステップまたはイベントＳ−７Ｄ（２）としてドメインネームサーバ（ＤＮＳ）データベース４２（７）へ照会を転送し、ステップまたはイベントＳ−７Ｅ（２）としてドメインネームサーバ（ＤＮＳ）データベース４２（７）からの応答を受信し、ステップまたはイベントＳ−７Ｅ（３）としてドメインネームサーバ（ＤＮＳ）データベース４２（７）からの応答をフェムト無線基地局２８fに転送する汎用リダイレクタノード１００を示している。従って、ステップまたはイベントＳ−７Ｆによって描かれた続く動作の段階として、フェムト無線基地局２８f-new、特に、ＩＰインタフェースユニット５０は、適切な／正しい無線ネットワーク制御局ノード（例えば、図７の実施例の無線ネットワーク制御局ノード２６2）のインターネットプロトコル（ＩＰ）アドレスを用いて、フェムト無線基地局のアクティブ無線ネットワーク制御ノードとしてフェムト無線基地局が使用する適切な／正しい無線ネットワーク制御局ノードに接続する。
【００６４】
図６と図７のそれぞれの実施例では、デフォルト無線ネットワーク制御局ノード２６1と汎用リダイレクタノード１００は、図６と図７にそれぞれ描かれる状況で別のノードに配置されたドメインネームサーバ（ＤＮＳ）データベースにコンタクトすることができる。或いは、デフォルト無線ネットワーク制御局ノード２６1と汎用リダイレクタノード１００は、それぞれの実施例において自装置で、ドメインネームサーバ（ＤＮＳ）データベースの機能を実行してもよい。
【００６５】
また、ここに記載したいずれかの実施例で照会されたデータベースは、必ずしもドメインネームサーバ（ＤＮＳ）データベースと呼ぶことも、そのサービスだけを行うことも必要もないことを認識すべきである。フェムト無線基地局の正しいまたは適切な無線ネットワーク制御局ノードのアドレスを突き止めるか、または決定するために十分な情報を有する他のどんなデータベースでも代わりに利用することができる。
【００６６】
ＦＱＤＮ形成ユニット５８が、少なくとも一部はシステム情報に基づき完全修飾ドメイン名（ＦＱＤＮ）を作成することは前述した。完全修飾ドメイン名（ＦＱＤＮ）は、例えば、運用者を識別するためにフェムト無線基地局の事前構成情報にも基づいてよいという意味において、少なくとも一部はシステム情報に基づいていると言える。その事前構成情報は、例えば、“ｏｐｅｒａｔｏｒ．ｃｏｍ”のような文字列であることができよう。この特定の識別子は、以下のＦＱＤＮの例では“ｐｒｅ−ｃｏｎｆ−ｏｐｅｒａｔｏｒ−ｉｄ”と記述する。他の事例では、フェムト無線基地局は、事前構成の識別子として代わりに文字列“．ｐｕｂ．３ｇｐｐｎｅｔｗｏｒｋ．ｏｒｇ”を使用することができよう。
【００６７】
以下に説明するように、完全修飾ドメイン名（ＦＱＤＮ）は、同報されるシステム情報の少なくとも一部を使用して少なくとも一部は形成され、種々の異なる手法で形成または生成される。一実施形では、完全修飾ドメイン名（ＦＱＤＮ）を作成する一手法は、３つの識別子であるＰＬＭＮ−ＩＤ、ＬＡＣ、およびセルアイデンティティのすべてを使用することである。別の例として、完全修飾ドメイン名（ＦＱＤＮ）は、おそらく（１）ＰＬＭＮ−ＩＤと（２）ロケーションエリアコード（ＬＡＣ）と（３）セルアイデンティティ（ＣＩ）との内の２つ以上の部分を連結した組み合わせであるような、（１）ＰＬＭＮ−ＩＤと、（２）ロケーションエリアコード（ＬＡＣ）と、（３）セルアイデンティティ（ＣＩ）の２つ以上の部分の組み合わせを有していてもよい。
【００６８】
従って、本質的にＰＬＭＮ−ＩＤとＬＡＣとＣＩのいずれの組み合わせも、ＦＱＤＮを作成するために使用される。組み合わせ例を以下に挙げる（事前構成情報が“ｐｒｅ−ｃｏｎｆ−ｏｐｅｒａｔｏｒ−ｉｄ”で表されることが思い出される）。即ち、
・ＰＬＭＮ−ＩＤとＬＡＣとセルアイデンティティ（ＣＩ）
・ＰＬＭＮ−ＩＤとＬＡＣ
・ＰＬＭＮ−ＩＤとセルアイデンティティ
・ｐｒｅ−ｃｏｎｆ−ｏｐｅｒａｔｏｒ−ｉｄとＬＡＣだけ（場合によっては）
・ｐｒｅ−ｃｏｎｆ−ｏｐｅｒａｔｏｒ−ｉｄとセルアイデンティティだけ（場合によっては）。
【００６９】
シナリオの例に関して、ＵＴＲＡＮ環境が以下の情報で記述される状況を考慮する。即ち、
・フェムト無線基地局に関する事前構成情報、即ち、ｐｒｅ−ｃｏｎｆ−ｏｐｅｒａｔｏｒ−ｉｄを“ｏｐｅｒａｔｏｒ．ｃｏｍ”に設定する。
・ＰＬＭＮ−ＩＤは０１２−１２３（即ち、移動体の国コードＭＣＣは０１２、移動体ネットワークコードＭＮＣは１２３）である。
・ＬＡＣは値３４５６７である点。
・ＣＩは１６進数で１２３４５６７の値である（これは、ＣＩのＲＮＣ識別子部分が１６進数で１２３（即ち、１０進数で２９１）であり、３Ｇセル識別子部分が１６進数で４５６７（即ち、１０進数で１７７６７）であることを意味する）。
【００７０】
直前に記述のシナリオについて、以下に、そのシナリオに関してＦＱＤＮ形成ユニット５８により形成または生成される完全修飾ドメイン名（ＦＱＤＮ）の非限定的な例を挙げる。即ち、
・ｐｒｅ−ｃｏｎｆ−ｏｐｅｒａｔｏｒ−ｉｄとセルアイデンティティのＲＮＣ部分だけ、例えば、“ｒｎｃ２９１．ｏｐｅｒａｔｏｒ．ｃｏｍ”。
・ｐｒｅ−ｃｏｎｆ−ｏｐｅｒａｔｏｒ−ｉｄとＬＡＣだけ（場合によっては）、例えば、“ｌａｃ３４５６７．ｏｐｅｒａｔｏｒ．ｃｏｍ”。
・ＰＬＭＮ−ＩＤとＬＡＣ、例えば、“ｌａｃ３４５６７．ｍｎｃ１２３．ｍｃｃ０１２．ｐｕｂ．３ｇｐｐｎｅｔｗｏｒｋ．ｏｒｇ”。
【００７１】
動作の一態様の例では、フェムト運用者は、ＦＱＤＮを作成する１つ以上の異なる代替手法を選択してもよい。ドメインネームシステム（ＤＮＳ）データベース４２は、関連情報（ドメインネームシステム（ＤＮＳ）データベース４２が担当するすべての無線ネットワーク制御局ノードに関するＩＰアドレスとＦＱＤＮのマッチングまたはペアリング）を反映するようにプログラムまたは更新されるべきである。
【００７２】
もしフェムト無線基地局がＷＣＤＭＡカバレッジ内にないなら、一実施例では、フェムト無線基地局は、ｐｒｅ−ｃｏｎｆ−ｏｐｅｒａｔｏｒ−ｉｄだけを使用して、ドメインネームシステム（ＤＮＳ）データベース４２に接続してもよい。このようなフェムト基地局は、例えば、デフォルトＲＮＣまたは中央ＲＮＣなどの、いずれかの無線ネットワーク制御局ノードに接続することができよう。なぜなら、そのような場合、マクロセルへのハンドオーバやローミングはカバレッジを失わない限り可能ではないので、隣接セルリストを提供する必要がないからである。
【００７３】
また、いくつかの実施態様では、ノードアドレス問合せは、完全修飾ドメイン名（ＦＱＤＮ）とは異なる形式を取ってもよい。例えば、図８と図９の実施態様の例では、ノードアドレス問合せは、無線ネットワーク制御局ノード２６1に送信される（図８）か、または汎用リダイレクタノードに送信される（図９）ノードアドレス要求メッセージの形式を取る。図８のステップまたはイベントの例は、図６の例に類似している。図８では、ノードアドレス問合せは完全修飾ドメイン名（ＦＱＤＮ）ではなく、ノードアドレスメッセージの形式を取り、データベース４２（８）は、必ずしもドメインネームサーバ（ＤＮＳ）データベースである必要がないことも理解される。同様に、図９のステップまたはイベントの例は、図７の例に類似している。図９では、ノードアドレス問合せは、完全修飾ドメイン名（ＦＱＤＮ）ではなく、ノードアドレスメッセージの形式を取り、データベース４２（９）は、必ずしもドメインネームサーバ（ＤＮＳ）データベースである必要がないことも理解される。
【００７４】
ノードアドレス要求メッセージは、データベースから適切な無線ネットワーク制御局ノードのインターネットプロトコル（ＩＰ）アドレスを取得するために、システム情報の少なくとも一部とフェムト無線基地局に関する識別子の一方または両方を含むことができる。異なる実施形では、ノードアドレス要求メッセージで使用されるフェムト無線基地局に関する識別子は、フェムト無線基地局のハードウェア識別子と、フェムト無線基地局のシリアル番号と、フェムト無線基地局の所有者／運用者番号の内の少なくとも１つを含むことができる。データベース（例えば、データベース４２（８）またはデータベース４２（９））は、識別子を有しシステム情報を提供するフェムト無線基地局の適切な無線ネットワーク制御局ノードを決定するために、システム情報と識別子の一方または両方を使用してもよい。
【００７５】
ノードアドレス問合せがどの形態を取るかに係わらず（例えば、ＦＱＤＮであろうとノードアドレス要求メッセージであろうと）、フェムト無線基地局２８f-newのアクティブ無線ネットワーク制御局ノードになる無線ネットワーク制御局ノードが何であれ、それは状況がそれを必要とするときは、フェムトＲＢＳを別のＲＮＣにリダイレクトすることもできるべきである。そのようなリダイレクションは、データベース４２へのさらなる照会を含んでもよい。この決定は、（例えば）フェムト無線基地局を介して生み出されるトラヒックの量とタイプに基づいている。
【００７６】
上記指摘のように、起動およびスタートアップ時、フェムト無線基地局２８f-newは、無線アクセスネットワーク内のその位置に関して本質的に記憶していない。それ故、フェムト無線基地局２８f-newがノードアドレス問合せ（例えば、完全修飾ドメイン名（ＦＱＤＮ）またはノードアドレス要求メッセージ）を作成し、適切なデータベース４２に問合せを実行する目的は、フェムト無線基地局２８f-newが、フェムト無線基地局がアクティブ無線ネットワーク制御局ノードとして使用するために接続できる適切なまたは正しい無線ネットワーク制御局ノードのアドレスを突き止めることができることである。
【００７７】
従って、これまで説明したように、フェムト無線基地局は、エンドユーザによって移動されてもよく、それでもやはりフェムト無線基地局は前述の技術を使用して正しいＲＮＣに接続する。
【００７８】
前述のように、このような原理／方法は、ＷＣＤＭＡ以外の無線技術にも適用されてもよい。ＷＣＤＭＡは一例としてのみ例示されているのである。他の適切な技術には、これに限定されるわけではないが、ＧＳＭ，ＣＤＭＡ、ＷｉＭＡＸなどが含まれている。この技術は、前述の便宜上記述されたシステムおよびシナリオに特に関連があるが、他の事例および他のネットワークにも適用できよう。
【００７９】
種々の実施例を示して詳細に説明したが、請求の範囲はいずれの特定の実施例や例によって限定されるものではない。以上の説明のいずれについても、いずれかの特定の要素、ステップ、範囲、または機能が不可欠であることを示唆するものとは読まれるべきではない。本発明は開示された実施例に限定されるものではなく、むしろそれとは反対に、種々の改良および等価な構成を網羅することを意図するものである。
【図面の簡単な説明】
【００８０】
【図１Ａ】、
【図１Ｂ】、
【図１Ｃ】、
【図１Ｄ】、
【図１Ｅ】、
【図１Ｆ】無線アクセスネットワークを含む通信システムの実施例の概略図であり、フェムト無線基地局と適切な無線ネットワーク制御ノードとを接続する動作の順次的段階を示す図である。
【図２】フェムト無線基地局の実施例の概略図である。
【図３】無線ネットワーク制御（ＲＮＣ）ノードの一例の概略図である。
【図４】ドメインネームシステム（ＤＮＳ）データベースの構造例の概略図である。
【図５】２つの異なるバックホール案を示す図である。
【図６】無線アクセスネットワークを含む通信システムの別の実施例の概略図であり、別の動作の態様の例に従ってフェムト無線基地局と適切な無線ネットワーク制御ノードとを接続する動作の選択された順次的段階を示す図である。
【図７】無線アクセスネットワークを含む通信システムのさらに別の実施例の概略図であり、さらに別の動作の態様の例に従ってフェムト無線基地局と適切な無線ネットワーク制御ノードとを接続する動作の選択された順次的段階を示す図である。
【図８】無線アクセスネットワークを含む通信システムのさらに別の実施例の概略図であり、さらに別の動作の態様の例に従ってフェムト無線基地局と適切な無線ネットワーク制御ノードとを接続する動作の選択された順次的段階を示す図である。
【図９】無線アクセスネットワークを含む通信システムのさらに別の実施例の概略図であり、さらに別の動作の態様の例に従ってフェムト無線基地局と適切な無線ネットワーク制御ノードとを接続する動作の選択された順次的段階を示す図である。
【図１Ａ】
2009510971.tif 000003
【図１Ｂ】
2009510971.tif 000004
【図１Ｃ】
2009510971.tif 000005
【図１Ｄ】
2009510971.tif 000006
【図１Ｅ】
2009510971.tif 000007
【図１Ｆ】
2009510971.tif 000008
【図２】
2009510971.tif 000009
【図３】
2009510971.tif 000010
【図４】
2009510971.tif 000011
【図５】
2009510971.tif 000012
【図６】
2009510971.tif 000013
【図７】
2009510971.tif 000014
【図８】
2009510971.tif 000015
【図９】
2009510971.tif 000016
【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
無線アクセスネットワーク（２４）を動作させる方法であって、
フェムト無線基地局（２８f）の常駐無線受信器（５４）を用いて、エアインタフェース（３２）により無線アクセスネットワーク（２４）において同報されるシステム情報を受信する工程と、
前記システム情報の少なくとも一部を用いてデータベースから、前記フェムト無線基地局（２８f）に適切な無線ネットワーク制御局ノード（２６2）のインターネットプロトコル（ＩＰ）アドレスを取得する工程とを有することを特徴とする方法。
【請求項２】
前記フェムト無線基地局（２８f）において、前記フェムト無線基地局（２８f）への接続のために適切な無線ネットワーク制御局の前記インターネットプロトコル（ＩＰ）アドレスを取得するためのノードアドレス問合せを準備する工程と、
前記インターネットプロトコル（ＩＰ）アドレスを使用して、前記フェムト無線基地局（２８f）に対するアクティブ無線ネットワーク制御局ノードとして、前記フェムト無線基地局（２８f）を前記適切な無線ネットワーク制御局ノード（２６2）に接続する工程とをさらに有することを特徴とする請求項１に記載の方法。
【請求項３】
前記フェムト無線基地局（２８f）の識別子を前記ノードアドレス問合せに含める工程をさらに有し、
前記フェムト無線基地局（２８f）の識別子は、前記フェムト無線基地局（２８f）のハードウェア識別子と、前記フェムト無線基地局（２８f）のシリアル番号と、前記フェムト無線基地局（２８f）の所有者／運用者の番号との内の少なくとも１つを含むことを特徴とする請求項２に記載の方法。
【請求項４】
前記システム情報は、（１）ＰＬＭＮ−ＩＤと、（２）ロケーションエリアコード（ＬＡＣ）と、（３）セルアイデンティティ（ＣＩ）との内の少なくとも１つを含むことを特徴とする請求項１に記載の方法。
【請求項５】
完全修飾ドメイン名（ＦＱＤＮ）を構築するために前記システム情報の少なくとも一部を使用する工程と、
前記フェムト無線基地局への接続のために適切な無線ネットワーク制御局のインターネットプロトコル（ＩＰ）アドレスを取得するためドメインネームシステム（ＤＮＳ）データベースに問合せるために前記完全修飾ドメイン名（ＦＱＤＮ）を使用する工程とをさらに有することを特徴とする請求項１に記載の方法。
【請求項６】
完全修飾ドメイン名（ＦＱＤＮ）は、（１）ＰＬＭＮ−ＩＤと、（２）ロケーションエリアコード（ＬＡＣ）と、（３）セルアイデンティティ（ＣＩ）との内の２つ以上の部分の組み合わせ或いは連結を含むことを特徴とする請求項５に記載の方法。
【請求項７】
前記完全修飾ドメイン名（ＦＱＤＮ）を構築するために前記システム情報と事前構成情報との少なくとも一部を用いる工程をさらに有することを特徴とする請求項５に記載の方法。
【請求項８】
前記フェムト無線基地局が前記適切な無線ネットワーク制御局ノードの前記インターネットプロトコル（ＩＰ）アドレスを取得するために前記ドメインネームシステム（ＤＮＳ）データベースに対して直接、前記完全修飾ドメイン名（ＦＱＤＮ）を含む問合せを送信する工程をさらに有することを特徴とする請求項５に記載の方法。
【請求項９】
前記フェムト無線基地局が前記システム情報の少なくとも一部を使用してノードアドレス要求メッセージを準備する工程と、
前記フェムト無線基地局が前記ノードアドレス要求メッセージを無線ネットワーク制御局ノード（２６1）に送信する工程と、
前記無線ネットワーク制御局ノード（２６1）が前記適切な無線ネットワーク制御局ノードのインターネットプロトコル（ＩＰ）アドレスを取得するために前記データベースに前記システム情報の少なくとも一部を転送する工程とをさらに有することを特徴とする請求項１に記載の方法。
【請求項１０】
前記フェムト無線基地局が前記システム情報の少なくとも一部を使用してノードアドレス要求メッセージを準備する工程と、
前記フェムト無線基地局が前記ノードアドレス要求メッセージを汎用リダイレクタノード（１００）に送信する工程と、
前記汎用リダイレクタノード（１００）が前記適切な無線ネットワーク制御局ノードのインターネットプロトコル（ＩＰ）アドレスを取得するために前記データベースに前記システム情報の少なくとも一部を転送する工程とをさらに有することを特徴とする請求項１に記載の方法。
【請求項１１】
前記フェムト無線基地局（２８f）への接続のために適切な無線ネットワーク制御局（２６1）のインターネットプロトコル（ＩＰ）アドレスを前記データベースから取得するために、前記システム情報の少なくとも一部と前記フェムト無線基地局（２８f）の識別子とを用いる工程をさらに有することを特徴とする請求項１に記載の方法。
【請求項１２】
前記フェムト無線基地局（２８f）の識別子は、前記フェムト無線基地局のハードウェア識別子と、前記フェムト無線基地局のシリアル番号と、前記フェムト無線基地局の所有者／運用者の番号との内の少なくとも１つを含むことを特徴とする請求項１１に記載の方法。
【請求項１３】
フェムト無線基地局（２８f）であって、
エアインタフェース（３２）により無線アクセスネットワーク（２４）で同報されるシステム情報を受信する常駐無線受信器（５４）と、
前記フェムト無線基地局（２８f）に対する適切な無線ネットワーク制御局ノード（２６2）のインターネットプロトコル（ＩＰ）アドレスをデータベースから取得するために前記システム情報の少なくとも一部を用いる手段とを有することを特徴とするフェムト無線基地局。
【請求項１４】
前記システム情報の少なくとも一部を用いる手段は、完全修飾ドメイン名（ＦＱＤＮ）を構築するために前記システム情報の少なくとも一部を使用し、さらに前記完全修飾ドメイン名（ＦＱＤＮ）を使用して前記適切な無線ネットワーク制御局ノード（２６2）のインターネットプロトコル（ＩＰ）アドレスを取得するためにドメインネームシステム（ＤＮＳ）データベースに問合せることを特徴とする請求項１３に記載のフェムト無線基地局。
【請求項１５】
前記完全修飾ドメイン名（ＦＱＤＮ）を構築する手段は、前記完全修飾ドメイン名（ＦＱＤＮ）を構築するために前記システム情報と事前構成情報との内の少なくとも一部を使用することを特徴とする請求項１３に記載のフェムト無線基地局。
【請求項１６】
前記システム情報の少なくとも一部を用いる手段は、前記ドメインネームシステム（ＤＮＳ）データベースに対して直接、前記完全修飾ドメイン名（ＦＱＤＮ）を含む問合せを送信し、前記適切な無線ネットワーク制御局ノードのインターネットプロトコル（ＩＰ）アドレスの形式で前記前記ドメインネームシステム（ＤＮＳ）データベースから直接、応答を受信するように構成されたインターネットプロトコル（ＩＰ）インタフェースを有することを特徴とする請求項１３に記載のフェムト無線基地局。
【請求項１７】
前記システム情報の少なくとも一部を用いる手段は、無線ネットワーク制御局ノード（２６1）に対して、前記システム情報を含むノードアドレス要求メッセージを送信し、前記無線ネットワーク制御局ノード（２６1）から前記適切な無線ネットワーク制御局ノード（２６2）のインターネットプロトコル（ＩＰ）アドレスを受信するように構成されたインターネットプロトコル（ＩＰ）インタフェースを有することを特徴とする請求項１３に記載のフェムト無線基地局。
【請求項１８】
前記システム情報の少なくとも一部を用いる手段は、汎用リダイレクタノード（１００）に対して、前記システム情報を含むノードアドレス要求メッセージを送信し、前記汎用リダイレクタノードから前記適切な無線ネットワーク制御局ノード（２６2）のインターネットプロトコル（ＩＰ）アドレスを受信するように構成されたインターネットプロトコル（ＩＰ）インタフェースを有することを特徴とする請求項１３に記載のフェムト無線基地局。
【請求項１９】
前記システム情報の少なくとも一部を用いる手段は、前記システム情報の少なくとも一部と前記フェムト無線基地局の識別子とを用いて、前記適切な無線ネットワーク制御局ノードのインターネットプロトコル（ＩＰ）アドレスを前記データベースから引き出すように構成されたノードアドレス要求メッセージを準備することを特徴とする請求項１３に記載のフェムト無線基地局。
【請求項２０】
前記システム情報の少なくとも一部を用いる手段は、前記フェムト無線基地局の前記識別子として、前記フェムト無線基地局のハードウェア識別子と、前記フェムト無線基地局のシリアル番号と、前記フェムト無線基地局の所有者／運用者の番号との内の少なくとも１つを含むように構成されていることを特徴とする請求項１９に記載のフェムト無線基地局。
【請求項２１】
複数の無線ネットワーク制御局ノード（２６）と、少なくとも１つのフェムト無線基地局（２８f）とを有する無線アクセスネットワークであって、
データベース（４２）を有し、
前記少なくとも１つの１つのフェムト無線基地局（２８f）は、
エアインタフェース（３２）により前記無線アクセスネットワーク（２４）で同報されるシステム情報を受信する常駐無線受信器（５４）と、
前記システム情報を含むノードアドレス問合せを構築するために前記システム情報の少なくとも一部を用いる手段と、
前記データベースに前記ノードアドレス問合せを送信し、前記ノードアドレス問合せに対する応答として前記複数の無線ネットワーク制御局ノードの内の適切な無線ネットワーク制御局ノードのインターネットプロトコル（ＩＰ）アドレスを受信し、前記適切な無線ネットワーク制御局ノードの前記アドレスを使用して前記少なくとも１つのフェムト無線基地局のアクティブ無線ネットワーク制御局ノードとして、前記適切な無線ネットワーク制御局ノードに前記フェムト無線基地局を接続する手段（５０）とを有することを特徴とする無線アクセスネットワーク。
【請求項２２】
前記システム情報の少なくとも一部を用いる手段は、完全修飾ドメイン名（ＦＱＤＮ）の形式でノードアドレス問合せを構築するために前記システム情報の少なくとも一部を使用し、さらに前記完全修飾ドメイン名（ＦＱＤＮ）を使用して前記適切な無線ネットワーク制御局ノードの前記インターネットプロトコル（ＩＰ）アドレスを取得するためにドメインネームシステム（ＤＮＳ）データベースに問合せを行うことを特徴とする請求項２１に記載の無線アクセスネットワーク。
【請求項２３】
前記完全修飾ドメイン名（ＦＱＤＮ）を構築する手段は、前記完全修飾ドメイン名（ＦＱＤＮ）を構築するために前記システム情報と事前構成情報との内の少なくとも一部を使用することを特徴とする請求項２１に記載の無線アクセスネットワーク。
【請求項２４】
前記ドメインネームシステム（ＤＮＳ）データベースに対して直接、前記完全修飾ドメイン名（ＦＱＤＮ）を含む問合せを送信し、前記適切な無線ネットワーク制御局ノードのインターネットプロトコル（ＩＰ）アドレスの形式で前記前記ドメインネームシステム（ＤＮＳ）データベースから直接、応答を受信するように構成されたインターネットプロトコル（ＩＰ）インタフェースをさらに有することを特徴とする請求項２１に記載の無線アクセスネットワーク。
【請求項２５】
前記システム情報の少なくとも一部を用いる手段は、無線ネットワーク制御局ノードに対して、前記システム情報を含むノードアドレス要求メッセージの形式でノードアクセス問合せを送信し、前記無線ネットワーク制御局ノードから前記適切な無線ネットワーク制御局ノードのインターネットプロトコル（ＩＰ）アドレスを受信するように構成されたインターネットプロトコル（ＩＰ）インタフェースを有することを特徴とする請求項２１に記載の無線アクセスネットワーク。
【請求項２６】
前記システム情報の少なくとも一部を用いる手段は、汎用リダイレクタノードに対して、前記システム情報を含むノードアドレス要求メッセージの形式でノードアドレス問合せを送信し、前記汎用リダイレクタノードから前記適切な無線ネットワーク制御局ノードのインターネットプロトコル（ＩＰ）アドレスを受信するように構成されたインターネットプロトコル（ＩＰ）インタフェースを有することを特徴とする請求項２１に記載の無線アクセスネットワーク。
【請求項２７】
前記システム情報の少なくとも一部を用いる手段は、前記システム情報の少なくとも一部と前記フェムト無線基地局の識別子とを用いて、前記適切な無線ネットワーク制御局ノードのインターネットプロトコル（ＩＰ）アドレスを前記データベースから引き出すように構成されたノードアドレス要求メッセージを準備することを特徴とする請求項２１に記載の無線アクセスネットワーク。
【請求項２８】
前記システム情報の少なくとも一部を用いる手段は、前記フェムト無線基地局の前記識別子として、前記フェムト無線基地局のハードウェア識別子と、前記フェムト無線基地局のシリアル番号と、前記フェムト無線基地局の所有者／運用者の番号との内の少なくとも１つを含むように構成されていることを特徴とする請求項２７に記載の無線アクセスネットワーク。
【国際調査報告】
2009510971.tif 000017
2009510971.tif 000018
2009510971.tif 000019
2009510971.tif 000020